(57)【要約】【課題】遊技盤にハートを取り付ける設備へのハートの円滑挿入を図る。【解決手段】横移動機構１２１が横ガイド１２３で案内されつつ矢印Ｘ方向に移動し、横移動機構１２１の横可動体１２４に取り付けられた昇降機構１３１の昇降出力体１３３が昇降することで昇降体１３４が昇降ガイド１３５で案内されつつ矢印Ｚ方向に昇降し、昇降体１３４に取り付けられた前後移動機構１４１の前後可動体１４４が前後ガイド１４５で案内されつつ矢印Ｙ方向に移動し、前後可動体１４４に設けた一対の吸着支持構造体１５２のガイドパイプ１５３の内部に上下移動可能に内接嵌合されたハート吸着体１５４が１枚のハート１６を吸着支持する場合、ハート吸着体１５４がガイドパイプ１５３に対するばね１５５の伸縮で１枚のハート１６の上面に吸引空気の漏れが発生しないように接触し、ハート吸着体１５４が１枚のハート１６を適切に吸着支持する。【選択図】　　　　図１
2004081354.tif 000002
【特許請求の範囲】
【請求項１】
遊技盤にアウト口を縁取りする貫通孔とそれの周囲に取付孔との形成された板状のハートを取り付ける遊技機製造設備のハート挿入装置において、ハートを上方から吸着支持したまま遊技盤のアウト口の真上に運搬した後に吸着解除でハートを遊技盤のアウト口周りに搭載するハート吸引機構を備えたことを特徴とする遊技機製造設備のハート挿入装置。
【請求項２】
ハート吸引機構がハートの貫通孔周りを吸引支持する一対の吸着支持構造体、吸着支持構造体を昇降する昇降機構、吸着支持構造体を横移動する横移動機構、吸着支持構造体を前後移動する前後移動機構を備えたことを特徴とする請求項１記載の遊技機製造設備のハート挿入装置。
【請求項３】
吸着支持構造体がガイドパイプ、ガイドパイプの内部に上下移動可能に内接嵌合されたハート吸着体、ハート吸着体にガイドパイプから下方に突出する方向のばね力を与えるばねを備えたことを特徴とする請求項２記載の遊技機製造設備のハート挿入装置。
【発明の詳細な説明】
【０００１】
【発明の属する技術分野】
本発明は、パチンコ機のような球を遊技媒体として使用する遊技機を製造する設備において、遊技盤にアウト口を縁取りするハートを取り付ける設備にハートを挿入するハート挿入装置に関する。
【０００２】
【従来の技術】
図７は特開平６−３４３７３９号公報で開示されたバンド取付装置を示し、バンド２０１の搭載されたバンドパレット２０２からバンド２０１を１本ずつ取り出して所定の弧状に成形した後にバンド２０１に設けられた図外の固着具を遊技盤２０３の意匠盤面から内部に圧入して、バンド２０１を遊技盤２０３に取り付けるようになっている。図７中の符号２０４はバンド供給装置、符号２０５はバンド成形装置、２０６は遊技盤搬送装置である。
【０００３】
【発明が解決しようとする課題】
しかしながら、前記従来例は遊技盤２０３のバンド２０１を取り付けることはできるものの、バンド２０１と交差配置となるアウト口を縁取りする図外のハートを取り付けることが困難になるという問題点があった。
【０００４】
そこで、本発明は遊技盤にハートを取り付ける設備にハートを円滑に挿入することができるハート挿入装置を提供するものである。
【０００５】
【課題を解決するための手段】
本発明にあっては、遊技盤にアウト口を縁取りする貫通孔とそれの周囲に取付孔との形成された板状のハートを取り付ける遊技機製造設備のハート挿入装置において、１枚のハートを上方から吸着支持したまま遊技盤のアウト口の真上に運搬した後に吸着解除でハートを遊技盤のアウト口周りに搭載するハート吸引機構を備えたことによって、板状のハートを吸引支持した格好のまま遊技盤のアウト口周りに搭載することができるので、ハートを取り付ける設備にハートを円滑に挿入することができる。また、本発明にあっては、ハート吸引機構がハートの貫通孔周りを吸引支持する一対の吸着支持構造体、吸着支持構造体を昇降する昇降機構、吸着支持構造体を横移動する横移動機構、吸着支持構造体を前後移動する前後移動機構を備えれば、ハートを昇降・前後移動・横移動の組み合わせで遊技盤のアウト口周りに運搬することができる。また、本発明にあっては、吸着支持構造体がガイドパイプ、ガイドパイプの内部に上下移動可能に内接嵌合されたハート吸着体、ハート吸着体にガイドパイプから下方に突出する方向のばね力を与えるばねを備えれば、吸着支持構造体が１枚のハートを吸着支持する場合、ハート吸着体がガイドパイプに対するばねの伸縮で１枚のハートの上面に吸引空気の漏れが発生しないように接触し、ハート吸着体が１枚のハートを適切に吸着支持することができる。
【０００６】
【発明の実施の形態】
図１から図６は一実施形態であって、図１はハート挿入装置２６の外観を示し、図２はハート供給装置２５の外観を示し、図３はハート・バンド取付装置の平面を模式的に示し、図４はハート・バンド取付装置の正面を模式的に示し、図５および図６はハート１６と内バンド１２との取付工程を模式的に示す。
【０００７】
図１を参照し、ハート挿入装置２６について説明する。ハート挿入装置２６は横移動機構１２１、昇降機構１３１、前後移動機構１４１、ハート吸引機構１５１を備える。横移動機構１２１はハート挿入装置２６の土台としての構造体１２２に設けた横方向に延長した横ガイド１２３、横ガイド１２３で案内されつつ構造体１２２に対し横移動可能に配置された横可動体１２４、横可動体１２４を横方向に移動する横駆動機構１２５を備える。横駆動機構１２５は構造体１２２に取り付けられた図外のモータのような駆動源で回転駆動するねじ棒１２６を備え、ねじ棒１２６が横可動体１２４に形成されたねじ孔（雌ねじの形成された孔）１２７にねじ嵌合された形態になっている。よって、横移動機構１２１では、ねじ棒１２６が回転することで、横可動体１２４が横カイド１２３で案内されつつ矢印Ｘで示す横方向に移動する。
【０００８】
昇降機構１３１は横可動体１２４に取り付けられた昇降シリンダーのような昇降駆動源１３２、昇降駆動源１３２のピストンロッドのような昇降出力体１３３に結合された昇降体１３４、昇降体１３４を上下方向に案内するように昇降体１３４に嵌め込まれるとともに横可動体１２４に固定された上下方向に延長する昇降ガイド１３５を備える。よって、昇降機構１３１では昇降出力体１３３が昇降することで、昇降体１３４が昇降ガイド１３５で案内されつつ矢印Ｚで示す上下方向に昇降する。
【０００９】
前後移動機構１４１は昇降体１３４に取り付けられた前後シリンダーのような前後駆動源１４２、前後駆動源１４２のピストンロッドのような前後出力体１４３に結合された前後可動体１４４、前後出力体１４３を前後方向に案内するように前後出力体１４３に嵌め込まれるとともに昇降体１３４に固定された前後方向に延長する前後ガイド１４５を備える。よって、前後移動機構１４１では前後出力体１４３が前後移動することで、前後可動体１４４が前後ガイド１４５で案内されつつ矢印Ｙで示す前後方向に移動する。
【００１０】
ハート吸引機構１５１は吸着支持構造体１５２および空気吸引系統１５８を備える。吸着支持構造体１５２は前後可動体１４４の一端部に上下に貫通しつつ固定された左右一対のガイドパイプ１５３、ガイドパイプ１５３の内部に上下移動可能に内接嵌合されたハート吸着体１５４、ガイドパイプ１５３から下方に突出したハート吸着体１５４を囲むようにハート吸着体１５４に装着されたコイルスプリングのようなばね１５５を備える。ばね１５５の上端部がハート吸着体１５４周りにおけるガイドパイプ１５３の下面に接触し、ばね１５５の下端部がハート吸着体１５４から径方向外側に突出したばね受体１５６に接触し、ばね１５５がハート吸着体１５４をガイドパイプ１５３から下方に突出する方向のばね力をハート吸着体１５４に与える。ばね受体１５６から下方に突出したハート吸着体１５４の下端が吸口１５７を形成する。
【００１１】
空気吸引系統１５８はガイドパイプ１５３から上方に突出したハート吸着体１５４の上端部に接続された吸引チューブ１５８Ａ、吸引力を作る真空ポンプのような吸引源１５８Ｂ、吸引チューブ１５８Ａと吸引源１５８Ｂとを接続するように吸引チューブ１５８Ａと吸引源１５８Ｂとの間に挿入されたバルブ１５８Ｃを備える。吸引チューブ１５８Ａの中間部に前後移動基体の他端部に固定された中継栓１５０を備える。
【００１２】
本実施形態におけるハート挿入装置２６では、図３および図４に示すハート・バンド取付装置におけるハート供給装置２５から供給されるハート１６を緩衝エリア３３から右隣りのハート・内バンド挿入エリア３４に運搬して遊技盤１のアウト口４周りに配置することから、横移動機構１２１の横可動体１２４が緩衝エリア３３とハート・内バンド挿入エリア３４とにわたり横移動し得るようになっている。
【００１３】
図２を参照し、ハート供給装置２５について説明する。ハート供給装置２５は箱形の装置本体９１の上面にハートパレット搬送供給機構９２、ハートパレット搬送排出機構９３、ハート受渡機構９４、ハートせり上げ機構９５を備える。ハートパレット搬送供給機構９２は装置本体９１の上部に相対峙する一対のローラコンベヤーのような供給搬送体９６と、供給搬送体９６の間で前後方向に直線的に往復移動する供給搬送駆動源９７と、供給搬送体９６よりも上方で相対峙する一対の供給ガイドレール９８とを備える。供給搬送駆動源９７は装置本体９１の上面に対し図外の動力機構で前後方向に移動する可動体９９と、可動体９９に固定的に設けられた磁石１００とを備える。
【００１４】
ハートパレット搬送排出機構９３は装置本体９１の上部に相対峙する一対のローラコンベヤーのような排出搬送体１０１と、排出搬送体１０１の間で前後方向に直線的に往復移動する排出搬送駆動源１０２と、排出搬送体１０１よりも上方で相対峙する一対の排出ガイドレール１０３とを備える。排出搬送駆動源１０２は装置本体９１の上面に対し図外の動力機構で前後方向に移動する可動体１０４と、可動体１０４に固定的に設けられた磁石１０５とを備える。
【００１５】
ハート受渡機構９４はハートパレット搭載部１０６を備える。ハートパレット搭載部１０６はエアシリンダーのような搭載駆動源１０７でハートパレット搬送供給機構９２と対応する位置とハートパレット搬送排出機構９３と対応する位置とに移動・停止する。ハートパレット搭載部１０６はモータローラコンベヤーのような左右に相対峙する一対の駆動搬送体１０８と左右に相対峙する一対のガイドレール１０９およびハートパレット受止体１１０を備える。ハートせり上げ機構９５はせり上げ体１１１をモータのようなせり上げ駆動源１１２で動くボルト・ナット機構１１３を介して昇降する。
【００１６】
ハート供給装置２５に使用するハートパレット１１５は方形な基部１１６と、基部１１６から上部に立設した支柱１１７と、基部１１６と支柱１１７との連接部分に設けられたスペーサー１１８とを備え、ハート１６の貫通孔１７が支柱１１７に上方から外嵌装着されることで、多数枚のハート１６が上下方向に多段に積層されたハート積層体となってハートパレット１１５に装着される。ハート積層体における最下部のハート１６はスペーサー１１８で受け止められ、当該最下部のハート１６における取付孔１８周りの両端部はスペーサー１１８よりも外側に突出して基部１１６との間にせり上げ体１１１における一対のフォーク爪を挿入するためのフォーク爪挿入空間を形成する。
【００１７】
ハート供給装置２５は次のように動作する。ハートパレット１１５が多数枚のハート１６の搭載されたハート積層体を有する状態において、基部１１６の両端部が供給搬送体９６と供給ガイドレール９８との間に形成された隙間に後端部より挿入される。その場合、ハートパレット搭載部１０６がハートパレット搬送供給機構９２と対応するようにハートパレット搬送供給機構９２の前部に連接するように停止し、せり上げ体１１１のフォーク爪が供給ガイドレール９８よりも上方でハートパレット搭載部１０６の真上に突出している。そして、供給搬送駆動源９７の可動体９９が矢印Ｙ１方向（図３の遊技盤搬送装置２１の方向）に向けて移動すると、磁石１００が基部１１６を磁力で吸着しつつ移送する。この磁力で移送される基部１１６は供給搬送体９６の自由回転と供給ガイドレール９８の案内とで図３の遊技盤搬送装置２１の方向に向けて搬送される。
【００１８】
この搬送されたハートパレット１１５の基部１１６は遊技盤搬送装置２１に最も接近した受渡位置でハートパレット搭載部１０６の駆動搬送体１０８とガイドレール１０９との間に形成された隙間に挿入される。この場合、駆動搬送体１０８は可動体９９によるハートパレット１１５の移動速度と駆動搬送体１０８によるハートパレット１１５の移動速度とは同速度になっている。そして、駆動搬送体１０８に受け取られたハートパレット１１５の基部１１６がハートパレット受止体１１０で受け止められると、駆動搬送体１０８の搬送動作が停止する一方、基部１１６はハートパレット搭載部１０６に設けられた図外のストッパーでハートパレット搭載部１０６に位置決め固定される。ハートパレット１１５の基部１１６がハートパレット受止体１１０で受け止められる過程において、せり上げ体１１１のフォーク爪がハートパレット１１５におけるハート積層体の最下部のハート１６と基部１１６との間に形成されたフォーク爪挿入空間に挿入される。
【００１９】
本実施形態の場合、磁石１００を永久磁石で形成したので、ハートパレット１１５が供給搬送体９６からハートパレット搭載部１０６に受け渡された後、可動体９９は次のハートパレット１１５をハートパレット搭載部１０６に向けて搬送するために、可動体９９は最前位置から磁石１００の磁力がハートパレット１１５に作用をしない位置まで（磁石１００の磁力でハートパレット１１５が移動しない位置まで）下降した後に矢印Ｙ１と逆方向に後退して次のハートパレット１１５を移動し得る位置で停止しその位置で上昇して矢印Ｙ１方向に移動可能な位置で停止する。つまり、ハートパレット搭載部１０６が図２の実線示位置に停止している状態において、可動体９９が前後運動（矢印Ｙ１方向と逆方向との移動）と昇降運動との組み合わせで四角形の軌跡を描く移動によって、磁石１００の磁力でハートパレット１１５を供給搬送体９６からハートパレット搭載部１０６に順に搬送する。磁石１００を電磁石で形成すれば、可動体９９がハートパレット１１５を矢印Ｙ１方向に搬送する場合に電磁石である磁石１００を電気的に励磁し、可動体９９が矢印Ｙ１方向と逆方向に後退する場合に電磁石である磁石１００を電気的に消磁することによって、可動体９９を前後運動するだけの形態にすることができる。
【００２０】
その状態において、ハート供給時期になると、図３のハート挿入装置２６がハート受渡機構９４におけるハート積層体の最上部のハート１６を取り出す。このハート挿入装置２６によるハート１６の取り出しが繰り返されるごとに、せり上げ体１１１がせり上げ駆動源１１２で１枚のハート１６の厚さだけ上昇して停止する。このせり上げ体１１１の上昇・停止が繰り返されることによって、ハート挿入装置２６に対するハート取出位置であるハート積層体における最上部のハート１６の位置が常に同じ高さに維持されるので、ハート挿入装置２６がハートパレット１１５からハート１６を同じ昇降量で円滑かつ確実に受け取ることができる。
【００２１】
ハート挿入装置２６によるハート１６の取り出しが繰り返されたことによってハート受渡機構９４におけるハートパレット１１５に搭載されていたハート１６が無くなった場合、ハート供給装置２５はハートパレット１１５（ハート１６の搭載されていない空のハートパレット１１５）の排出が次のように行われる。空のハートパレット１１５が前述の図外のストッパーでハート受渡機構９４のハートパレット搭載部１０６に位置決め固定されたまま、ハートパレット搭載部１０６が搭載駆動源１０７で図２の実線示位置から仮想線示位置に向けて移動してハートパレット搬送供給機構９２と対応する位置からハートパレット搬送排出機構９３と対応する位置に移動・停止する。その後、上記ストッパーがハートパレット搭載部１０６と基部１１６との位置決め固定を解除する。
【００２２】
次に、ハートパレット搭載部１０６の駆動搬送体１０８が前記ハートパレット１１５のハートパレット搬送供給機構９２からの受け取り時と逆方向に回転駆動する。これによって、ハートパレット１１５の基部１１６が駆動搬送体１０８からハートパレット搬送排出機構９３における排出搬送体１０１に搭載されつつ排出搬送体１０１と排出ガイドレール１０３との間の隙間に挿入されて、空のハートパレット１１５のハート受渡機構９４からハートパレット搬送排出機構９３への受け渡しが完了する。その状態において、排出搬送駆動源１０２の可動体１０４が矢印Ｙ２方向（矢印Ｙ１と逆向きの方向）に移動すると、磁石１０５が基部１１６を磁力で吸着しつつ移送する。この磁力で移送される基部１１６は排出搬送体１０１の自由回転と排出ガイドレール１０３の案内とで図３遊技盤搬送装置２１と反対方向に向けて搬送される。
【００２３】
前記空のハートパレット１１５のハート受渡機構９４からハートパレット搬送排出機構９３への受け渡しが完了した後、ハート受渡機構９４のハートパレット搭載部１０６が搭載駆動源１０７で図２の仮想線示位置から実線示位置に向けて移動してハートパレット搬送排出機構９３と対応する位置からハートパレット搬送供給機構９２と対応する位置に移動・停止し、ハートパレット搬送供給機構９２からのハート積層体の搭載されたハートパレット１１５の供給に備える。
【００２４】
本実施形態の場合、磁石１０５を永久磁石で形成したので、空のハートパレット１１５がハートパレット搭載部１０６から排出搬送体１０１に受け渡された後、可動体１０４は次の空のハートパレット１１５をハートパレット搭載部１０６から排出搬送体１０１に受け渡すために、可動体１０４は前記受渡完了位置（後退位置）から磁石１０５の磁力が空のハートパレット１１５に作用をしない位置まで（磁石１０５の磁力でハートパレット１１５が移動しない位置まで）下降した後に矢印Ｙ２と逆方向に前進して最前位置（次の空のハートパレット１１５を移動し得る位置）で停止しその位置で上昇して矢印Ｙ２方向に移動可能な位置で停止する。つまり、ハートパレット搭載部１０６が図２の仮想線示位置に停止している状態において、可動体１０４が前後運動（矢印Ｙ２方向と逆方向との移動）と昇降運動との組み合わせで四角形の軌跡を描く移動によって、磁石１０５の磁力で空のハートパレット１１５をハートパレット搭載部１０６から排出搬送体１０１に順に搬送する。磁石１０５を電磁石で形成すれば、可動体１０４がハートパレット１１５を矢印Ｙ２方向に搬送する場合に電磁石である磁石１０５を電気的に励磁し、可動体１０４が矢印Ｙ２方向と逆方向に後退する場合に電磁石である磁石１０５を電気的に消磁することによって、可動体１０４を前後運動するだけの形態にすることができる。
【００２５】
図３および図４を参照し、ハート挿入装置２６を用いるハート・バンド取付装置について説明する。図３の左上に示すように、ハート・バンド取付装置に供給される遊技盤１はベニヤ板のような合板からなる方形状の遊技基板の一表面に図柄の印刷された合成樹脂からなる化粧シートを接合した意匠盤面を有する一方、基準孔２、部品逃孔３、アウト口４、バンド取付用下孔５；６が形成された形態になっている。基準孔２は遊技盤１をハート・バンド取付装置に位置決め固定するための加工基準として使用する孔であって、遊技盤１の１つの対角線の方向に位置する２つの隅部に設けられる。部品逃孔３は入賞部品、飾り部品、照明表示部品などの部品を遊技盤１に取り付ける場合に当該部品の一部を遊技盤１の内部に取り込むように逃げる孔である。アウト口４はアウト球を遊技盤１の意匠盤面の遊技領域から遊技盤１の裏側に排出する孔であって、ハート１６で縁取りされる。バンド取付用下孔５；６は外バンド８やハート１６および内バンド１２を取り付ける孔である。部品逃孔３、アウト口４、バンド取付用下孔５；６は基準孔２を基準とした位置に形成される。また、図示は省略したが、遊技盤１には上記部品を遊技盤１に取り付けるための木ねじのような図外の固着具を案内する部品取付用下孔が形成され、多数の遊技釘（障害釘と呼ばれることもある）や風車も取り付けられている場合もある。
【００２６】
図３の左下に示すように、ハート・バンド取付装置に供給される外バンド８は帯状のバンド本体９と固着具１０とカール部１１とを備える。固着具１０はバンド本体９の長縁下部に取り付けられた割ピンのような形状である。カール部１１は外バンド８を遊技盤１に位置決め固定するバンド釘を挿入するためにバンド本体９の長手方向の一端部に設けられる。図３の右下に示すように、内バンド１２は帯状のバンド本体１３と固着具１４とアウト球案内溝１５とを備える。固着具１４はバンド本体１３の長縁下部に取り付けられた割ピンのような形状である。アウト球案内溝１５はアウト球をアウト口４に案内する溝であって、バンド本体１３の中間部を屈曲した形態である。アウト球案内溝１５の両側に位置する固着具１４はハート１６を遊技盤１に共締めする。図３の中間下に示すように、ハート・バンド取付装置に供給されるハート１６はアウト口４を縁取りする板状であって、貫通孔１７と取付孔１８とを備える。貫通孔１７はアウト球を遊技盤１の意匠盤面の方向からアウト口４に通過させる孔である。取付孔１８は内バンド１２の固着具１４を挿入する孔である。
【００２７】
ハート・バンド取付装置は遊技盤搬送装置２１、外バンド供給装置２２、外バンド成形装置２３、外バンド挿入装置２４、ハート供給装置２５、ハート挿入装置２６、内バンド供給装置２７、内バンド成形装置２８、内バンド挿入装置２９、バンドプレス装置３０を備える。そして、外バンド供給装置２２に多数本の外バンド８の搭載されたバンドパレット７４を供給し、ハート供給装置２５に多数本のハート１６の搭載されたハートパレット１１５を供給し、内バンド供給装置２７に多数本の内バンド１２の搭載されたバンドパレット７４を供給した状態において、図３の左上に示す遊技盤１が遊技盤搬送装置２１で搬入エリア３１から外バンド挿入エリア３２、緩衝エリア３３、ハート・内バンド挿入エリア３４、バンドプレスエリア３５を順に経由して搬出エリア３６に到達するまでの間において、外バンド８とハート１６および内バンド１２が遊技盤１に取り付けられる。
【００２８】
具体的には、遊技盤搬送装置２１の相対峙する一対のチェーンコンベヤーのような無端状の搬送体３８が一方向に循環するように回転駆動して搬送体３８の上に供給搭載された遊技盤１を一方向（矢印Ｘ１方向）に搬送する。そして、搬入エリア３１では遊技盤ストッパー３９が下降限度位置から上昇して上昇限度位置に停止する過程で搬送体３８よりも上方に突出し、搬送体３８で搬送されてくる遊技盤１の搬送方向（矢印Ｘ１方向）先端面に接触して遊技盤１を搬入エリア３１の内部に停止する。その後、遊技盤１の外バンド挿入エリア３２への供給時期になると、遊技盤ストッパー３９が上昇限度位置から下降して下降限度位置に停止する過程において搬送体３８よりも下方に引っ込み上記遊技盤１との接触を解放すると、遊技盤１が搬送体３８で搬入エリア３１から外バンド挿入エリア３２に搬送される。
【００２９】
外バンド挿入エリア３２では遊技盤ストッパー４０が下降限度位置から上昇して上昇限度位置に停止する過程で搬送体３８よりも上方に突出し、搬送体３８で搬送されてくる遊技盤１の搬送方向先端面に接触して遊技盤１を外バンド挿入エリア３２の内部に停止する。その後、遊技盤リフト４４が下降限度位置から上昇して上昇限度位置に停止する過程で搬送体３８よりも上方に突出し、遊技盤ストッパー４０で停止している遊技盤１を搬送体３８より上方に浮上支持する。その状態において、外バンド供給装置２２から外バンド成形装置２３を経由して外バンド挿入装置２４における図外のハンド機構に受け取られて外バンド挿入エリア３２の真上に待機していた外バンド８が外バンド挿入装置２４のハンド機構の下降動作によって遊技盤リフト４４上の遊技盤１に向けて下降する。外バンド挿入エリア３２の真上に待機する外バンド８のバンド本体９は外バンド成形装置２３で遊技盤１に取り付けられる所定の弧状（図３の右上の遊技盤１に取り付けられた弧状）に曲げ成形される。
【００３０】
この下降途中において、外バンド挿入装置２４のハンド機構における図外の位置決めピンが遊技盤１の基準孔２のそれぞれに上方より挿入されて遊技盤１が位置決めされた後に外バンド８の固着具１０の先端部が上記位置決めされた遊技盤１のバンド取付用下孔５に挿入されて遊技盤１に抜けないように仮固定される。その後、外バンド挿入装置２４のハンド機構が外バンド８に対する支持を解放するとともに上昇し、位置決めピンが遊技盤１から抜ける一方、上昇した外バンド挿入装置２４のハンド機構が外バンド成形装置２３に次回の外バンド８を受け取りに行く。
【００３１】
引き続き、遊技盤リフト４４が上昇限度位置から下降して下降限度位置に停止する過程において搬送体３８よりも下方に引っ込むと、遊技盤１が搬送体３８に搭載される。その後、遊技盤１の緩衝エリア３３への供給時期になると、遊技盤ストッパー４０が上昇限度位置から下降して下降限度位置に停止する過程において搬送体３８よりも下方に引っ込み上記遊技盤１との接触を解放すると、遊技盤１が搬送体３８で外バンド挿入エリア３２から緩衝エリア３３に搬送される。
【００３２】
緩衝エリア３３では遊技盤ストッパー４１が下降限度位置から上昇して上昇限度位置に停止する過程で搬送体３８よりも上方に突出し、搬送体３８で搬送されてくる遊技盤１の搬送方向先端面に接触して遊技盤１を緩衝エリア３３の内部に停止する。その後、遊技盤１のハート・内バンド挿入エリア３４への供給時期になると、遊技盤ストッパー４１が上昇限度位置から下降して下降限度位置に停止する過程において搬送体３８よりも下方に引っ込み上記遊技盤１との接触を解放すると、遊技盤１が搬送体３８で緩衝エリア３３からハート・内バンド挿入エリア３４に搬送される。
【００３３】
ハート・内バンド挿入エリア３４では遊技盤ストッパー４２が下降限度位置から上昇して上昇限度位置に停止する過程で搬送体３８よりも上方に突出し、搬送体３８で搬送されてくる遊技盤１の搬送方向先端面に接触して遊技盤１をハート・内バンド挿入エリア３４の内部に停止する。その後、遊技盤リフト４５が下降限度位置から上昇して上昇限度位置に停止する過程で搬送体３８よりも上方に突出し、遊技盤ストッパー４２で停止している遊技盤１を搬送体３８より上方に浮上支持する。その状態において、ハート供給装置２５からハート挿入装置２６における図１の一対のハート吸着体１５４で受け取られて緩衝エリア３３を経由してハート・内バンド挿入エリア３４の真上に待機していたハート１６がハート挿入装置２６における図１の昇降機構１３１の下降動作によって遊技盤リフト４５上の遊技盤１に向けて下降して遊技盤１のアウト口４とハート１６の貫通孔１７とが互いに対応するとともに遊技盤１のアウト口４周りのバンド取付用下孔６とハート１６の取付孔１８とが互いに対応するように位置決めされつつ搭載供給される。
【００３４】
その後、昇降機構１３１が上昇した後に、ハート挿入装置２６がハート供給装置２５に次のハート１６を受け取りに行く。これと並行し、内バンド供給装置２７から内バンド成形装置２８を経由して内バンド挿入装置２９における図外のハンド機構に受け取られていた内バンド１２が内バンド挿入装置２９のハンド機構で内バンド成形装置２８の側からハート・内バンド挿入エリア３４の真上に移動する。ハート・内バンド挿入エリア３４の真上に移動する内バンド１２のバンド本体１３は内バンド成形装置２８で遊技盤１に取り付けられる所定の弧状（図３の右上の遊技盤１に取り付けられた弧状）に曲げ成形される。内バンド１２がハート・内バンド挿入エリア３４の真上に移動すると、内バンド挿入装置２９のハンド機構の下降動作によって内バンド１２が遊技盤リフト４５上の遊技盤１に向けて下降する。
【００３５】
この下降途中において、内バンド挿入装置２９のハンド機構における図外の位置決めピンが遊技盤１の基準孔２のそれぞれに上方より挿入されて遊技盤１が位置決めされた後に内バンド１２の固着具１４の先端部が上記位置決めされた遊技盤１のバンド取付用下孔６に挿入される。この場合、内バンド１２の固着具１４の２本の先端部が遊技盤１に搭載されたハート１６の取付孔１８を経由し遊技盤１のバンド取付用下孔６に挿入されるとともに残る本数の固着具１４の先端部がハート１６と無関係に上記遊技盤１の残るバンド取付用下孔６に挿入されることで、内バンド１２の固着具１４の全本数がハート１６を遊技盤１と内バンド１２のバンド本体１３との間に挟む格好で遊技盤１に抜けないように仮固定される。
【００３６】
その後、内バンド挿入装置２９のハンド機構が内バンド１２に対する支持を解放するとともに上昇し、位置決めピンが遊技盤１から抜ける一方、上昇した内バンド挿入装置２９のハンド機構が内バンド成形装置２８に次回の内バンド１２を受け取りに行く。引き続き、遊技盤リフト４５が上昇限度位置から下降して下降限度位置に停止する過程において搬送体３８よりも下方に引っ込むと、遊技盤１が搬送体３８に搭載される。その後、遊技盤１のバンドプレスエリア３５への供給時期になると、遊技盤ストッパー４２が上昇限度位置から下降して下降限度位置に停止する過程において搬送体３８よりも下方に引っ込み上記遊技盤１との接触を解放すると、遊技盤１が搬送体３８でハート・内バンド挿入エリア３４からバンドプレスエリア３５に搬送される。
【００３７】
バンドプレスエリア３５にはバンドプレス装置３０が設けられる。バンドプレス装置３０は相対峙する一対のチェーンコンベヤーのような無端状の搬送体４６を備え、搬送体４６が一方向（矢印Ｘ１方向）に循環するように搬送体３８と同一速度で回転駆動して搬送体４６の上に供給搭載された遊技盤１を一方向に搬送する。搬送体４６は遊技盤搬送装置２１におけるハート・内バンド挿入エリア３４の搬送体３８と搬出エリア３６の搬送体３８とから分割された別体に構成されており、ハート・内バンド挿入エリア３４から遊技盤１を受け取る場合と、遊技盤１を搬出エリア３６に排出する場合とに回転するが、外バンド８および内バンド１２をプレスする間は停止し、電力消費を低減する。
【００３８】
そして、バンドプレス装置３０では搬送体４６がハート・内バンド挿入エリア３４の搬送体３８から遊技盤１を受け取った後、遊技盤ストッパー４３が下降限度位置から上昇して上昇限度位置に停止する過程で搬送体４６よりも上方に突出し、搬送体４６で搬送されてくる遊技盤１の搬送方向先端面に接触して遊技盤１をバンドプレスエリア３５の内部に停止する。その後、搬送体４６が回転を停止するとともに下降し、搬送体４６の遊技盤１を搭載して搬送する部分がバンドプレス装置３０のプレス固定台４７よりも下となる下降限度位置で、搬送体４６の下降が停止する。この搬送体４６の下降によって、遊技盤ストッパー４３で受け止められた遊技盤１が搬送体４６から浮上してプレス固定台４７の上に搭載される。
【００３９】
その状態において、バンドプレス装置３０における図外のプレス可動台がプレス固定台４７に向けて下降する。プレス可動台が下降する過程において、プレス可動台に設けられた図外の位置決めピンが遊技盤１の基準孔２のそれぞれに挿入された後に、プレス可動台に設けられた図外のプレスツールが遊技盤１に仮固定された外バンド８の固着具１０の上部および内バンド１２の固着具１４の上部を押し下げて遊技盤１に圧入する。この場合、仮固定された外バンド８の固着具１０のほぼ全部（固着具１０のバンド本体９と結合している部分は遊技盤１より外側に突出するので、ほぼ全部は当該固着具１０のバンド本体９と結合している部分を除いた部分を意味する）および仮固定された内バンド１２の固着具１４のほぼ全部（固着具１４のバンド本体１３と結合している部分は遊技盤１の意匠盤面から外側に突出するので、ほぼ全部は当該固着具１４のバンド本体１３と結合している部分を除いた部分を意味する）を当該遊技盤１に押し込むように圧入されることで抜けないように完璧に固定される。
【００４０】
これによって、外バンド８の固着具１０と内バンド１２の固着具１４とが遊技盤１に完全に固定し、ハート１６が内バンド１２のバンド本体１３と遊技盤１との間に挟まれるとともに、外バンド８のバンド本体９と内バンド１２のバンド本体１３とが遊技盤１の意匠盤面に接触した格好で、意匠盤面から垂直状に立ち上がった格好で、外バンド８と内バンド１２およびハート１６が遊技盤１に取り付けられる。
【００４１】
その後、プレスツールが外バンド８と内バンド１２とに対する支持を解放し、プレス可動台が上昇し、位置決めピンが遊技盤１から抜ける一方、上昇したプレス可動台が上昇限度位置に停止する。これと並行し、遊技盤ストッパー４３が上昇限度位置から下降して下降限度位置に停止して遊技盤１に対する受け止めを解放するとともに、搬送体４６が上昇する。そして、搬送体４６がプレス固定台４７よりも上昇する過程で、搬送体４６が遊技盤１をプレス固定台４７から浮上支持する。そして、搬送体４６の遊技盤１を搬送する部分が搬送体３８の遊技盤１を搬送する部分と同じ高さの上昇限度位置に停止すると、搬送体４６が一方向に回転駆動する。これによって、図３の右上に示すような外バンド８、ハート１６、内バンド１２の取り付けられた遊技盤１が搬送体４６から搬送体３８に乗り移り、バンドプレスエリア３５から搬出エリア３６に排出される。搬出エリア３６に排出された遊技盤１ではハート１６が遊技盤１と内バンド１２のバンド本体１３との間で挟まれており、ハート１６と内バンド１２とが互いに交差配置になっている。
【００４２】
外バンド挿入エリア３２またはハート・内バンド挿入エリア３４では外バンド挿入装置２４の位置決めピンまたは内バンド挿入装置２９の位置決めピンを遊技盤１の基準孔２に挿入することで、外バンド挿入装置２４と遊技盤１の位置合わせまたは内バンド挿入装置２９と遊技盤１の位置合わせを行ったのに対し、外バンド挿入エリア３２またはハート・内バンド挿入エリア３４において、遊技盤搬送装置２１の装置本体に位置決めピンを設けておき、当該遊技盤搬送装置２１の位置決めピンを遊技盤リフト４４；４５の上昇に伴い遊技盤１の基準孔２に挿入して遊技盤リフト４４；４５に対して遊技盤１を位置決めした後、外バンド挿入装置２４の位置決めピンまたは内バンド挿入装置２９の位置決めピンを遊技盤搬送装置２１の位置決めピンに対して嵌め合わせることで外バンド挿入装置２４と遊技盤１の位置合わせまたは内バンド挿入装置２９と遊技盤１の位置合わせを行えば、遊技盤リフト４４；４５の上昇および上昇停止に際しても遊技盤１を適切な位置に保持することができる。
【００４３】
図５および図６を参照し、ハート挿入装置２６がハート供給装置２５におけるハートパレット搭載部１０６からハート・内バンド挿入エリア３４における遊技盤１への取付工程を詳述する。
【００４４】
先ず、図５において、ハート挿入装置２６がハート１６をハートパレット搭載部１０６の上のハートパレット１１５から緩衝エリア３３を経由してハート・内バンド挿入エリア３４に運搬する工程について説明する。図５のａ図に示すように、ハート挿入装置２６におけるハート吸着体１５４が緩衝エリア３３に対応して配置されたハートパレット搭載部１０６の上のハートパレット１１５に向けて下降して下降限度位置に停止する。その下降途中において、ハート吸着体１５４の吸口１５７がハートパレット１１５に積層されたハート積層体における最上部の１枚のハート１６における図１の取付孔１８周りの上面に接触してハート１６を押圧する。
【００４５】
これによって、ハート吸着体１５４がハート１６に接触したまま持ち上げられてばね１５５を圧縮することで、吸口１５７がハート１６の上面に吸引空気の漏れが発生しないように接触する。このハート１６とハート吸着体１５４との接触直後または接触直前において、ハート吸着体１５４には図１の空気吸引系統１５８による吸引力が発生される。この発生した吸引力によって、ハート吸着体１５４がハート積層体から最上部の１枚のハート１６を吸着支持する。ハート吸着体１５４がハート１６を吸着支持するのに必要な時間が経過してもハート吸着体１５４に連なる空気吸引系統１５８の圧力がハート１６を吸着支持するのに十分な圧力である所定圧力に到達しない場合、ハート挿入装置２６は作業者に知らせるべく警報を発するとともにハート・バンド取付装置の全体的な動作を停止させる。
【００４６】
その後、図５のｂ図に示すように、１枚のハート１６を吸着支持したハート吸着体１５４が図１の昇降機構１３１で上昇して上昇限度位置に停止した後、ハート吸着体１５４が図１の前後移動機構１４１により矢印Ａで示すように実線示位置から仮想線示位置へと移動されて仮想線示位置で緩衝エリア３３に到達する。ハートパレット搭載部１０６と緩衝エリア３３との間にはハート回収箱１６１が配置されている。ハート回収箱１６１はハート吸着体１５４が図５のａ図からｂ図への移行する過程において、ハート吸着体１５４に吸着支持された１枚のハート１６の下にハート積層体からもう１枚以上のハート１６が友連れされた場合に、ハート吸着体１５４が実線示位置から仮想線示位置に移動する間において、上記共連れされた１枚以上の余分なハート１６をハート回収箱１６１のしごき体１６２に衝突させることでハート吸着体１５４に吸着支持された１枚のハート１６から分離落下させ、その分離落下される余分なハート１６をハート回収箱１６１が内部に回収する。
【００４７】
引き続き、図５のｃ図に示すように、１枚のハート１６を吸着支持したハート吸着体１５４が緩衝エリア３３に到達したら、ハート吸着体１５４が図１の横移動機構１２１により矢印Ｂで示すように実線示位置から仮想線示位置へと移動されて緩衝エリア３３からハート・内バンド挿入エリア３４に到達する。
【００４８】
次に、図６において、ハート吸着体１５４で吸着支持された１枚のハート１６がハート・内バンド挿入エリア３４に到達してから遊技盤１に取り付ける工程について説明する。図６のａ図に示すように、ハート吸着体１５４で吸着支持された１枚のハート１６が遊技盤リフト４５に位置決め搭載された遊技盤１のアウト口４の真上に到達すると、図１の横移動機構１２１による移動が停止し、ハート吸着体１５４がアウト口４の真上に停止する。
【００４９】
その後、図６のｂ図に示すように、ハート吸着体１５４が図１の昇降機構１３１で下降し、その下降に伴い、ハート吸着体１５４に吸着支持されたハート１６の貫通孔１７が遊技盤リフト４５に設けられてアウト口４を経由して遊技盤１よりも上方に突出したハート位置決め体１３２Ａに嵌め込まれ、ハート１６の貫通孔１７周りがハート位置決め体１３２Ａの外周面に接触し、ハート１６がハート位置決め体１３２Ａでアウト口４に対し位置決めされてアウト口４周りの遊技盤１の意匠盤面に接触して重ね合わされる。その状態において、ハート吸着体１５４に連なる空気吸引系統１５８の図１のバルブ１５８Ｃがハート吸着体１５４の側の圧力通路を大気開放し、ハート吸着体１５４によるハート１６の吸着支持が解放された後、ハート吸着体１５４が昇降機構１３１による上昇と図１の横移動機構１２１によるハート・内バンド挿入エリア３４から緩衝エリア３３への移動および図１の前後移動機構１４１による緩衝エリア３３から図５のハートパレット搭載部１０６の方向に退避する。
【００５０】
その後、図６のｃ図に示すように、内バンド挿入装置２９が図３の内バンド成形装置２８から本成形された内バンド１２の上方からバンド本体１３の板厚方向両側から固着具１４の上部を挟む格好で支持した後にハート・内バンド挿入エリア３４における遊技盤リフト４５に位置決め搭載された遊技盤１の真上に停止する。さらに、図６のｄ図に示すように、内バンド挿入装置２９が遊技盤１に向けて下降する。この内バンド挿入装置２９の下降に伴い、図６のｅ図にも示すように、固着具１４の先端部がハート１６の取付孔１８から遊技盤１のバンド取付用下孔６に挿入されて遊技盤１にハート１６と内バンド１２とが固着具１４で共締めされつつ仮固定される。
【００５１】
図２のハート受渡機構９４ではハートパレット搬送供給機構９２から送り出されたハートパレット１１５を駆動搬送体１０８の駆動で受け取ったのに対し、駆動搬送体１０８を自由回転搬送体で形成し、ハートパレット搬送供給機構９２に複数のハートパレット１１５を搭載しておき、磁石１００を有する可動体９９の矢印Ｙ１方向への移動で後側のハートパレット１１５を矢印Ｙ１方向に移動することで、当該後側のハートパレット１１５が前側のハートパレット１１５をハートパレット搬送供給機構９２からハート受渡機構９４の自由回転搬送体の上に押し出すことで、ハート１６の搭載された１個のハートパレット１１５をハートパレット搬送供給機構９２からハート受渡機構９４に移送してもよいが、この場合、ハート受渡機構９４から空のハートパレット１１５をハートパレット搬送排出機構９３に移送するには次のようになる。図２のハート受渡機構９４が実線示位置から仮想線示位置に向けて移動してハートパレット搬送排出機構９３と対応する位置に移動・停止した後、ハート受渡機構９４周りに設置された図外の装置本体に設けた押出機構で空のハートパレット１１５をハートパレット搭載部１０６からハートパレット搬送排出機構９３に押し出すというように、空のハートパレット１１５をハートパレット搭載部１０６からハートパレット搬送排出機構９３に移送する図外の機構は必要である。また、ハートパレット１１５のハートパレット搬送供給機構９２からハート受渡機構９４への移送が完了したら、基部１１６をハートパレット搭載部１０６に設けられた図外のストッパーでハートパレット搭載部１０６に位置決め固定し、空のハートパレット１１５のハートパレット搭載部１０６からハートパレット搬送排出機構９３への移送に先駆けて、上記ストッパーがハートパレット搭載部１０６と基部１１６との位置決め固定を解除することは必要である。このように、駆動搬送体１０８を自由回転搬送体で形成すれば、駆動搬送体１０８からモータような駆動源が削除でき、駆動搬送体１０８の構造が簡単となる。
【図面の簡単な説明】
【図１】一実施形態のハート挿入装置を示す斜視図。
【図２】同実施形態のハート供給装置を示す斜視図。
【図３】同実施形態のハート・バンド取付装置を示す平面的な模式図。
【図４】同実施形態のハート・バンド取付装置を示す正面的な模式図。
【図５】同実施形態のハートと内バンドとの取付工程を示す模式図。
【図６】同実施形態のハートと内バンドとの取付工程を示す模式図。
【図７】従来例を示す模式図。
【符号の説明】
１　遊技盤
４　アウト口
１６　ハート
１８　取付孔
２１　遊技盤搬送装置
２５　ハート供給装置
２６　ハート挿入装置
１２１　横移動機構
１３１　昇降機構
１４１　前後移動機構
１５１　ハート吸引機構
１５２　吸着支持構造体
１５４　ハート吸着体
１５８　空気吸引系統
【図１】
2004081354.tif 000003
【図２】
2004081354.tif 000004
【図３】
2004081354.tif 000005
【図４】
2004081354.tif 000006
【図５】
2004081354.tif 000007
【図６】
2004081354.tif 000008
【図７】
2004081354.tif 000009